(57)【要約】  内視鏡先端への着脱が容易な起上台付き内視鏡用キャップ等を提供すること。  内視鏡の挿入部の先端に回動可能に設けられたレバー（６０）と、該レバー（６０）を回動させる回動部（２４）とを備える内視鏡に着脱可能な内視鏡用キャップ（５０）において、内視鏡用キャップ（５０）は、筒型のカバー（５２）と、前記カバー（５２）の内側に回動可能に支持されており、前記内視鏡への前記カバー（５２）の装着時に前記レバー（６０）に連結され、該レバー（６０）の回動に応じて回動する起上台（８０）とを備える。
2018016484.tif 000002
【特許請求の範囲】
【請求項１】
内視鏡の挿入部の先端に回動可能に設けられたレバーと、該レバーを回動させる回動部とを備える内視鏡に着脱可能な内視鏡用キャップにおいて、
開口端部を有し、前記開口端部を内視鏡の挿入部の先端に着脱することが可能な有底筒型のカバーと、
前記カバーの内側に固定されており、起上台取付孔を有する台座と、
前記カバーの内側に配置されており、前記起上台取付孔に挿入された起上台軸と、前記起上台軸と交差する方向に突出する起上部と、前記起上部の前記開口端部側に開口し、前記レバーに連結する連結凹部とを有し、前記台座に対して前記起上台軸周りに回動可能な起上台と
を備える内視鏡用キャップ。
【請求項２】
内視鏡の挿入部の先端に回動可能に設けられたレバーと、該レバーを回動させる回動部とを備える内視鏡に着脱可能な内視鏡用キャップにおいて、
開口端部を有し、前記開口端部を内視鏡の挿入部の先端に着脱することが可能な有底筒型のカバーと、
前記カバーの内側に固定されており、起上台取付孔を有する台座と、
前記カバーの内側に配置されており、前記起上台取付孔に挿入された起上台軸と、前記起上台軸と交差する方向に突出する起上部と、前記起上部の前記開口端部側に突出し前記レバーに連結する起上突起とを有し、前記台座に対して前記起上台軸周りに回動可能な起上台と
を備える内視鏡用キャップ。
【請求項３】
前記カバーは、前記台座との接触部の縁に、前記台座に向けて突出する第１固定突起を有する請求項１または請求項２に記載の内視鏡用キャップ。
【請求項４】
前記カバーは、内側の側面に、前記開口端部側に向けて突出するＬ字形の第２固定突起を有し、
前記台座は、前記第２固定突起と対向して前記カバーの底側に突出するＬ字形の第３固定突起を有する
請求項１から請求項３のいずれか一つに記載の内視鏡用キャップ。
【請求項５】
前記カバーは、底に台座固定孔を有し、
前記台座は、前記台座固定孔に挿入される第４固定突起を有する
請求項１から請求項４のいずれか一つに記載の内視鏡用キャップ。
【請求項６】
前記台座は、前記カバーと一体に形成されている、請求項１から請求項５のいずれか一つに記載の内視鏡用キャップ。
【請求項７】
前記カバーは、内面に前記開口端部に沿って筋状に設けられた取付突起を有する請求項１から請求項６のいずれか一つに記載の内視鏡用キャップ。
【請求項８】
内視鏡の挿入部の先端に回動可能に設けられたレバーと、該レバーを回動させる回動部とを備える内視鏡に着脱可能な内視鏡用キャップにおいて、
筒型のカバーと、
前記カバーの内側に回動可能に支持されており、内視鏡への前記カバーの装着時に前記レバーに連結され、該レバーの回動に応じて回動する起上台と
を備える内視鏡用キャップ。
【請求項９】
内視鏡の挿入部の先端に回動可能に設けられたレバーと、該レバーを回動させる回動部とを備える内視鏡に着脱可能な内視鏡用キャップにおいて、
開口端部を有する有底筒型のカバーと、
前記カバーの内側に回動可能に支持されており、前記内視鏡への前記カバーの装着時に前記レバーに連結され、該レバーの回動に応じて回動する起上台と
を備える内視鏡用キャップ。
【請求項１０】
前記カバーは、側面に開口する窓部を有し
前記起上台は、前記窓部との間の距離が変化する方向に回動可能である請求項１から請求項９のいずれか一つに記載の内視鏡用キャップ。
【請求項１１】
挿入部の先端の一部から挿入方向に突出し、挿入方向に沿った支持壁を備える中空のレバー室と、
前記レバー室の外側から遠隔操作される回動部と、
前記支持壁を貫通するレバー軸、前記レバー軸に連続して設けられており、前記レバー室内に収容され前記回動部に連結された回動連結部および前記レバー室の外側で前記レバー軸と交差する方向に突出して表面に露出する起上突起を有し、前記レバー軸周りに回動可能なレバーと、
を備える内視鏡。
【請求項１２】
開口端部を有し、前記開口端部を内視鏡の挿入部の先端に着脱することが可能な有底筒型のカバーと、前記カバーの内側に固定されており、起上台取付孔を有する台座と、前記カバーの内側に配置されており、前記起上台取付孔に挿入された起上台軸と、前記起上台軸と交差する方向に突出する起上部と、前記起上部の前記開口端部側に開口する連結凹部とを有し、前記台座に対して前記起上台軸周りに回動可能な起上台とを含む内視鏡用キャップを備え、
前記開口端部を前記挿入部の先端に取り付けた場合に、
前記起上突起は、前記連結凹部内に位置し、
前記起上台軸は、前記レバー軸と同軸に配置されている
請求項１１に記載の内視鏡。
【請求項１３】
挿入部の先端の一部から挿入方向に突出し、挿入方向に沿った支持壁を備える中空のレバー室と、
前記レバー室の外側から遠隔操作される回動部と、
前記支持壁を貫通するレバー軸、前記レバー軸に連続して設けられており、前記レバー室内に収容され前記回動部に連結された回動連結部および前記レバー室の外側で前記レバー軸と交差する方向に設けられて表面に露出する連結凹部を有し、前記レバー軸周りに回動可能なレバーと、
を備える内視鏡。
【請求項１４】
開口端部を有し、前記開口端部を内視鏡の挿入部の先端に着脱することが可能な有底筒型のカバーと、前記カバーの内側に固定されており、起上台取付孔を有する台座と、前記カバーの内側に配置されており、前記起上台取付孔に挿入された起上台軸と、前記起上台軸と交差する方向に突出する起上部と、前記起上部の前記開口端部側に突出する起上突起とを有し、前記台座に対して前記起上台軸周りに回動可能な起上台とを含む内視鏡用キャップを備え、
前記開口端部を前記挿入部の先端に取り付けた場合に、
前記起上突起は、前記連結凹部内に位置し、
前記起上台軸は、前記レバー軸と同軸に配置されている
請求項１３に記載の内視鏡。
【請求項１５】
前記起上突起は、側面に平面部を有し
前記連結凹部は、前記平面部と対応する部分に平面部を有する
請求項１２または請求項１４に記載の内視鏡。
【請求項１６】
前記起上突起は、側面に側面凹部を有し、
前記連結凹部は、内面に前記側面凹部に対応する内面凸部を有する
請求項１２、請求項１４または請求項１５に記載の内視鏡。
【請求項１７】
前記回動連結部は、前記レバー軸と交差する方向に突出する請求項１１から請求項１６のいずれか一つに記載の内視鏡。
【請求項１８】
前記回動部は、前記挿入部を貫通する起上ワイヤである請求項１１から請求項１７のいずれか一つに記載の内視鏡。
【請求項１９】
挿入部の先端の一部から挿入方向に突出し、挿入方向に沿った支持壁を備える中空のレバー室と、
前記支持壁を貫通するレバー軸および前記レバー室の外側に設けられて表面に露出する起上台連結部を有し、前記レバー軸周りに回動可能なレバーと、
を備える内視鏡。
【請求項２０】
台座に設けられた起上台取付孔に、起上台軸、前記起上台軸と交差する方向に突出する起上部および前記起上部の前記起上台軸側に開口する連結凹部とを有する起上台の前記起上台軸を挿入し、
開口端部を有し、内視鏡の挿入部の先端に着脱することが可能な有底筒型のカバーに、前記開口端部側から、前記台座を前記起上台と共に挿入し、
前記カバーと前記台座とを固定する
内視鏡用キャップの製造方法。
【請求項２１】
台座に設けられた起上台取付孔に、起上台軸、前記起上台軸と交差する方向に突出する起上部および前記起上部の前記起上台軸側から突出する起上突起とを有する起上台の前記起上台軸を挿入し、
開口端部を有し、内視鏡の挿入部の先端に着脱することが可能な有底筒型のカバーに、前記開口端部側から、前記台座を前記起上台と共に挿入し、
前記カバーと前記台座とを固定する
内視鏡用キャップの製造方法。
【請求項２２】
台座に、起上台軸を有する起上台の前記起上台軸を挿入し、
開口端部を有するカバーに、前記開口端部側から、前記台座を前記起上台と共に挿入し、
前記カバーと前記台座とを固定する
内視鏡用キャップの製造方法。
【請求項２３】
前記起上台軸の挿入方向は、前記台座の挿入方向と交差する、請求項２０から請求項２２のいずれか一つに記載の内視鏡用キャップの製造方法。
【発明の詳細な説明】
【技術分野】
【０００１】
本発明は、内視鏡用キャップ、内視鏡および内視鏡用キャップの製造方法に関する。
【背景技術】
【０００２】
挿入部の内部を通るチャンネルの先端に起上台を有する内視鏡が使用されている。起上台は、チャンネルに通した処置具等を屈曲させて、所望の向きに誘導する際に使用される。【０００３】
起上台を動かす起上ワイヤと起上台との間に壁を設けた内視鏡が開示されている（特許文献１）。挿入部の先端に着脱自在なキャップに起上台を取り付けた内視鏡が開示されている（特許文献２）。起上台、起上ワイヤおよび起上台を覆うキャップと挿入部とを着脱自在にした内視鏡が開示されている（特許文献３）。
【先行技術文献】
【特許文献】
【０００４】
【特許文献１】特開平８−５６９００号公報
【特許文献２】特開２００２−１７６５５号公報
【特許文献３】特開平６−３１５４５８号公報
【発明の概要】
【発明が解決しようとする課題】
【０００５】
特許文献１に開示された内視鏡では、起上台の周囲の構造が複雑なため、洗浄に手間が掛かる。特許文献２および特許文献３に開示された内視鏡では、キャップの着脱に手間が掛かる。【０００６】
一つの側面では、内視鏡先端への着脱が容易な起上台付き内視鏡用キャップ等を提供することを目的とする。
【課題を解決するための手段】
【０００７】
内視鏡用キャップは、内視鏡の挿入部の先端に回動可能に設けられたレバーと、該レバーを回動させる回動部とを備える内視鏡に着脱可能な内視鏡用キャップにおいて、開口端部を有し、前記開口端部を内視鏡の挿入部の先端に着脱することが可能な有底筒型のカバーと、前記カバーの内側に固定されており、起上台取付孔を有する台座と、前記カバーの内側に配置されており、前記起上台取付孔に挿入された起上台軸と、前記起上台軸と交差する方向に突出する起上部と、前記起上部の前記開口端部側に開口し、前記レバーに連結する連結凹部とを有し、前記台座に対して前記起上台軸周りに回動可能な起上台とを備える。
【発明の効果】
【０００８】
一つの側面では、内視鏡先端への着脱が容易な起上台付き内視鏡用キャップを提供することができる。
【図面の簡単な説明】
【０００９】
【図１】内視鏡の外観図である。
【図２】挿入部の先端の斜視図である。
【図３】挿入部の先端から処置具先端部が突出した状態を示す説明図である。
【図４】キャップの斜視図である。
【図５】起上台の斜視図である。
【図６】キャップ取付前の挿入部の先端の斜視図である。
【図７】キャップ取付前の挿入部の先端の斜視図である。
【図８】レバーの斜視図である。
【図９】レバーの分解斜視図である。
【図１０】挿入部の先端の側面図である。
【図１１】図１０のＸＩ−ＸＩ線による挿入部の断面図である。
【図１２】図１１のＸＩＩ−ＸＩＩ線による挿入部の断面図である。
【図１３】図１０のＸＩＩＩ−ＸＩＩＩ線によるカバーの断面図である。
【図１４】キャップを挿入部の先端に取り付ける工程を説明する断面図である。
【図１５】図１０のＸＶ−ＸＶ線による挿入部の断面図である。
【図１６】起上台を起上した内視鏡の断面図である。
【図１７】実施の形態２のキャップの分解斜視図である。
【図１８】実施の形態２のキャップの断面図である。
【図１９】図１８のＸＩＸ−ＸＩＸ線による実施の形態２のキャップの断面図である。
【図２０】実施の形態３のキャップの分解斜視図である。
【図２１】実施の形態３の台座と起上台とを組み合わせた側面図である。
【図２２】実施の形態３のカバーと台座を組み合わせる途中の状態を示す説明図である。
【図２３】実施の形態３のキャップの断面図である。
【図２４】図２３のＸＸＩＶ−ＸＸＩＶ線による実施の形態３のキャップの断面図である。
【図２５】実施の形態４のキャップの分解斜視図である。
【図２６】実施の形態４のキャップの断面図である。
【図２７】実施の形態５のレバーと起上台とを連結する部分の断面図である。
【図２８】実施の形態６の挿入部の断面図である。
【図２９】実施の形態７のキャップ取付前の挿入部の先端の斜視図である。
【図３０】実施の形態７の挿入部の断面図である。
【図３１】実施の形態７のレバーの斜視図である。
【図３２】実施の形態７のキャップの斜視図である。
【図３３】実施の形態８のレバーの斜視図である。
【図３４】実施の形態８のキャップの斜視図である。
【図３５】実施の形態９のキャップの斜視図である。
【図３６】実施の形態１０のレバーと起上台とを連結する部分の断面図である。
【図３７】実施の形態１１のレバーと起上台とを連結する部分の断面図である。
【発明を実施するための形態】
【００１０】
［実施の形態１］
図１は、内視鏡１０の外観図である。本実施の形態の内視鏡１０は、上部消化管向けの軟性鏡である。内視鏡１０は、操作部２０および挿入部３０を有する。操作部２０は、起上操作レバー２１、チャンネル入口２２および湾曲ノブ２３を有する。操作部２０は、図示しないビデオプロセッサ、光源装置および表示装置等に接続されている。
【００１１】
挿入部３０は長尺であり、一端が操作部２０に接続されている。挿入部３０は、操作部２０側から順に軟性部１２、湾曲部１３およびキャップ５０を有する。軟性部１２は、軟性である。湾曲部１３は、湾曲ノブ２３の操作に応じて湾曲する。キャップ５０は、湾曲部１３に連続する硬性の先端部３１（図２参照）を覆っている。キャップ５０は、本実施の形態の内視鏡用キャップの一例である。
【００１２】
本実施の形態の内視鏡１０は、キャップ５０を先端部３１から着脱することが可能である。キャップ５０は、外装部材であるカバー５２および起上台８０（図２参照）を有する。キャップ５０の構造の詳細については後述する。
【００１３】
以後の説明では、挿入部３０の長手方向を挿入方向と記載する。同様に、挿入方向に沿って操作部２０に近い側を操作部側、操作部２０から遠い側を先端側と記載する。
【００１４】
図２は、挿入部３０の先端の斜視図である。図３は、挿入部３０の先端から処置具先端部４１が突出した状態を示す説明図である。図１から図３を使用して、本実施の形態の内視鏡１０の構成を説明する。
【００１５】
湾曲部１３の先端に配置された先端部３１は、一方の側に挿入方向に沿って並んだ観察窓３６および照明窓３７を有する。照明窓３７は、観察窓３６よりも先端側に配置されている。先端部３１は、他方の側の操作部側に、チャンネル出口３５を有する。チャンネル出口３５の先端側に、起上部８３が配置されている。先端部３１を覆うカバー５２は、観察窓３６、照明窓３７および起上部８３に対応する部分に略長方形の窓部５３を有する。
【００１６】
照明窓３７は、図示しない光源装置から出射した照明光を照射する。観察窓３６を通して、照明光により照らされた範囲を光学観察することが可能である。本実施の形態の内視鏡１０は、光学観察が可能な視野方向が挿入方向に対して交差する方向である、いわゆる側視型である。内視鏡１０は、視野方向が若干先端側に傾いた前方斜視型、または視野方向が若干操作部側に傾いた後方斜視型であっても良い。
【００１７】
チャンネル入口２２とチャンネル出口３５との間は、軟性部１２および湾曲部１３の内部を通るチャンネル３４により接続されている。チャンネル入口２２から処置具４０を処置具先端部４１側から挿入することにより、チャンネル出口３５から処置具先端部４１を突出させることができる。
【００１８】
図３に実線で示すように、処置具先端部４１は起上部８３の上で緩く曲がりながら突出する。図１に矢印で示すように、起上操作レバー２１を操作すると、後述するようにレバー６０が動き、レバー６０に連動して起上台８０が動く。起上台８０が動くことにより、図１および図３に矢印で示すように、起上台８０の上の処置具先端部４１が操作部２０側に屈曲する。処置具先端部４１の動きは、観察窓３６を介して図示しない撮像素子等により撮影され、図示しない表示装置に表示される。
【００１９】
処置具４０は、たとえば高周波ナイフ、鉗子または造影チューブ等の処置用の機器である。なお、チャンネル３４に挿入する機器は処置用の機器に限定されない。たとえば、超音波プローブ、極細内視鏡等の観察用の機器をチャンネル３４に挿入して使用する場合もある。以後の説明では、観察用の機器も含めて処置具４０と記載する。
【００２０】
図４は、キャップ５０の斜視図である。図４は、キャップ５０を内視鏡１０への取付側から見た斜視図である。キャップ５０は、カバー５２、台座７０および起上台８０を有する。カバー５２は、一端に開口端部５６を、他端に底を有する有底筒型である。カバー５２は、窓部５３の開口端部５６側に、内側に向けて突出する突出部４９を有する。
【００２１】
台座７０は、カバー５２の窓部５３に対向する内面から窓部５３に向けて立ち上がる第１壁７７および第１壁７７のカバー５２側からカバー５２の内面に沿って延びる第２壁７８を有する。第１壁７７は、広面がカバー５２の軸方向と平行である板状である。
【００２２】
台座７０は、第１壁７７を貫通する起上台取付孔７６を有する。台座７０は、起上台取付孔７６に起上台８０を回動可能に取り付けた状態で、カバー５２の内面に接着または溶着等により固定されている。回動は、所定の角度の範囲内での回転運動を意味する。
【００２３】
図５は、起上台８０の斜視図である。図４および図５を使用して、起上台８０の構成を説明する。起上台８０は、起上台軸８２、起上部８３およびレバー連結部８１を有する。起上台軸８２は、割り溝を有する円柱形の軸である。起上台軸８２は、端部に一回り太い抜け止めを有する。起上台軸８２の中心軸と交差する方向に、起上部８３が配置されている。起上部８３は、一面に起上台軸８２から遠い側が広くなったスプーン状の窪み部８４を有する。
【００２４】
起上部８３の起上台軸８２側に、レバー連結部８１が設けられている。レバー連結部８１は、起上台軸８２と同軸の円筒面の内面に、起上台軸８２と交差する向きに設けられた丸穴である。さらに具体的には、起上台軸８２の中心線と、レバー連結部８１の中心線とは直交する。レバー連結部８１は、角穴、楕円形穴等でも良い。レバー連結部８１は、起上部８３を貫通しても良いし、貫通しなくても良い。以後の説明では、凹状のレバー連結部８１を連結凹部と記載する場合がある。
【００２５】
起上台軸８２は、起上台取付孔７６に挿入されている。起上台８０は、起上台軸８２まわりに台座７０に対して回動可能である。起上台軸８２の端部に設けられた抜け止めが、一旦挿入された起上台軸８２が起上台取付孔７６から外れることを防止する。窪み部８４は、窓部５３に対向して配置されている。
【００２６】
図４および図５を使用して、キャップ５０の組立方法について説明する。まず、起上台８０を台座７０に回動可能に取り付ける。具体的には、起上台取付孔７６に起上台軸８２を挿入する。次に、台座７０をカバー５２の内面に固定する。具体的には、第２壁７８の一面に接着剤を塗布した台座７０を、開口端部５６側からカバー５２の内面に挿入する。第２壁７８の接着剤を塗布した面を、カバー５２の内面に押し付けた状態で、接着剤を硬化させる。起上台軸８２を起上台取付孔７６に挿入する際の方向と、台座７０をカバー５２に挿入する方向とは交差している。
【００２７】
図６は、キャップ５０取付前の挿入部３０の先端の斜視図である。先端部３１は、略円柱形状であり、中心からずれた位置に先端側から操作部側に向けて設けられた溝により、光学収容部３３とレバー室６９とに分かれている。チャンネル出口３５は、溝の底に開口している。チャンネル出口３５の近傍に棒状の起上台連結部６１が露出している。起上台連結部６１については後述する。
【００２８】
先端部３１は、挿入部３０の長手方向に沿った第１平面部３２１を有する。第１平面部３２１の光学収容部３３側には、観察窓３６および照明窓３７が配置されている。観察窓３６の操作部側には、観察窓３６に水および空気を噴射して清掃するノズル３８が設けられている。光学収容部３３の外側には、第２平面部３２２が設けられている。
【００２９】
レバー室６９は中空である。レバー室６９は、光学収容部３３側に支持壁６８を有する。先端部３１は、操作部側の外周にキャップ固定溝３９を有する。
【００３０】
図７は、キャップ５０取付前の挿入部３０の先端の斜視図である。図７は、レバー室蓋６７（図１１参照）を外し、レバー室６９の内部をみえるようにした状態を示す。レバー室６９の内部に、回動連結部６４およびワイヤ固定部６５が収容されている。ワイヤ固定部６５は、起上ワイヤ２４の端部に連結されている。
【００３１】
起上ワイヤ２４は、挿入部３０を通って起上操作レバー２１（図１参照）に連結されている。さらに具体的には、起上ワイヤ２４は、起上ワイヤ２４の外径よりも若干太い内径を有する図示しない案内管に挿通されている。図示しない案内管は、挿入部３０を長手方向に貫通する。そのため、起上操作レバー２１の操作に連動して起上ワイヤ２４の先端が進退する。起上ワイヤ２４は、本実施の形態の回動部の一例である。起上ワイヤ２４は、起上操作レバー２１により遠隔操作される。
【００３２】
図８は、レバー６０の斜視図である。レバー６０は、レバー軸６３、起上台連結部６１、回動連結部６４、ワイヤ固定部６５および２個のＯリング６２を有する。
【００３３】
レバー軸６３は、円柱形の軸である。レバー軸６３の側面からレバー軸６３の中心軸と交差する方向に、円柱形の起上台連結部６１が突出している。レバー軸６３の端部から、レバー軸６３の中心軸と交差し、かつ、起上台連結部６１の突出方向とは異なる方向に、回動連結部６４が突出している。回動連結部６４の端部に割り溝を有するワイヤ固定部６５が設けられている。レバー軸６３の、起上台連結部６１と回動連結部６４とに挟まれた部分に、２個のＯリング６２が固定されている。
【００３４】
図９は、レバー６０の分解斜視図である。起上台連結部６１は、一端に雄ねじを有する。レバー軸６３は、側面に雌ねじを有する。Ｏリング６２を通したレバー軸６３を、支持壁６８に設けた孔に通した後に、起上台連結部６１の雄ねじとレバー軸６３の雌ねじとを結合することにより、レバー６０が支持壁６８に回動可能に支持される。起上台連結部６１の端部に設けられた平面部をラジオペンチ等の工具で保持して回すことにより、起上台連結部６１とレバー軸６３とを強固に結合することができる。
【００３５】
図１０は、挿入部３０の先端の側面図である。図１０は、キャップ５０を取り付けた挿入部３０の先端を、窓部５３側から見た図である。キャップ５０は、先端部３１の先端側から押し込むことにより、挿入部３０に固定されている。レバー室６９の先端側の端面は、キャップ５０の底に当接する。窓部５３内に、観察窓３６、照明窓３７および起上部８３がみえる。
【００３６】
図１１は、図１０のＸＩ−ＸＩ線による挿入部３０の断面図である。レバー室６９は、レバー室蓋６７により封止されている。レバー軸６３が支持壁６８を貫通する孔は、２個のＯリング６２により封止されている。以上の構造により、レバー室６９の内部への水等が浸入が防止されている。
【００３７】
図１１中の観察窓３６の下側には、レンズ等の観察光学系が配置されている。観察光学系を介して図示しない撮像素子が撮影した映像は、図示しないビデオプロセッサで処理されて、表示装置に表示される。
【００３８】
図１１中の観察光学系の下側には、ライトガイドファイバ３７１が配置されている。ライトガイドファイバ３７１は、照明窓３７に接続されている。ライトガイドファイバ３７１は、図示しない光源装置から照明窓３７に照明光を導く。
【００３９】
カバー５２は、第２平面部３２２に対応する平面部を内面に有する。第２平面部３２２とカバー５２の平面部が当接することにより、キャップ５０の回転を防止する。
【００４０】
図１２は、図１１のＸＩＩ−ＸＩＩ線による挿入部３０の断面図である。ＸＩＩ−ＸＩＩ断面は、レバー軸６３の中心軸および起上台軸８２の中心軸を通り、挿入部３０の長手方向に沿った断面である。図１１および図１２に示すように、レバー軸６３の中心軸と、起上台軸８２の中心軸とは、同軸に配置されている。レバー６０は、内視鏡１０の挿入部３０の先端に、レバー軸６３まわりに回動可能に設けられている。
【００４１】
起上台連結部６１が、レバー連結部８１に挿入されている。起上台連結部６１とレバー連結部８１とにより、レバー６０と起上台８０とが連結されている。すなわち、レバー軸６３を中心としてレバー６０が回動する場合には、起上台８０もレバー６０と一体になって回動する。レバー軸６３の中心軸と、起上台軸８２の中心軸とが、同軸に配置されているため、起上台８０はレバー６０と滑らかに連動する。
【００４２】
以上に説明したように、キャップ５０を内視鏡１０の先端部３１に装着する際、起上台８０はレバー６０に連結される。ここで連結は、レバー６０が回動した場合に、起上台８０がレバー６０と共に回動するように、両者が繋がった状態を意味する。
【００４３】
以後の説明では、図１２に示すような突起状の起上台連結部６１を起上突起と記載する場合がある。起上突起は、図５を使用して説明した連結凹部に挿入可能な形状である。
【００４４】
カバー５２は、内面に開口端部５６の縁に沿って筋状に延びる取付突起５５を有する。取付突起５５は、開口端部５６側の方が、カバー５２の底側に比べてなだらかな傾斜を有する。取付突起５５は、先端部３１の外周部に設けられたキャップ固定溝３９と係合する。
【００４５】
開口端部５６側の傾斜がゆるやかであるので、挿入部３０の先端にキャップ５０を押し込む際には、比較的容易に取付突起５５がキャップ固定溝３９に入る。一方、底側の傾斜が急であるので、一旦固定されたキャップ５０は、挿入部３０から外れにくい。なお、挿入部３０の先端にキャップ５０を押し込んだ後、キャップ５０の開口端部５６および挿入部３０に医療用テープ等を巻きつけても良い。このようにすることにより、キャップ５０をさらに強固に固定することができる。
【００４６】
図１３は、図１０のＸＩＩＩ−ＸＩＩＩ線によるカバー５２の断面図である。図１３においては、カバー５２以外の部材は図示を省略する。突出部４９の、カバー５２の中心側を向く面は平面である。第１平面部３２１と突出部４９とが当接することにより、キャップ５０の回転を防止する。
【００４７】
カバー５２は、内面に略三角形断面の切欠部５４を有する。図１０に破線で示すように、切欠部５４は、窓部５３の縁と、開口端部５６との間にわたって形成された溝である。
【００４８】
図１４は、キャップ５０を挿入部３０の先端に取り付ける工程を説明する断面図である。起上操作レバー２１を操作して、起上台連結部６１を挿入部３０の先端側に向ける。キャップ５０内の起上台８０も、レバー連結部８１を開口端部５６側に向ける。
【００４９】
この状態で、キャップ５０を先端部３１に先端側から押し込む。カバー５２が一時的に拡がり、取付突起５５がキャップ固定溝３９に係合する。これにより、キャップ５０が先端部３１に固定される。起上台連結部６１がレバー連結部８１に入ることにより、レバー６０と起上台８０とが一体になって回動可能になる。前述のように、レバー室６９の先端側の端面とカバー５２の底、第１平面部３２１と突出部４９、および第２平面部３２２とカバー５２の内面に設けられた平面がそれぞれ当接する。この構造により、キャップ５０の回転およびがたつきが防止される。
【００５０】
図１５は、図１０のＸＶ−ＸＶ線による挿入部３０の断面図である。図１６は、起上台８０を起上した内視鏡１０の断面図である。図１５および図１６を使用して、起上台８０の動きを説明する。
【００５１】
図１５に示す状態では、起上台８０はカバー５２の内側に収容されている。窪み部８４は、チャンネル出口３５から突出した処置具先端部４１を図１５の上方向にゆるやかに曲げることが可能な位置に配置されている。
【００５２】
起上操作レバー２１が動くことにより、起上操作レバー２１に接続された起上ワイヤ２４が操作部側に引っ張られる。起上ワイヤ２４に引っ張られて、レバー６０がレバー軸６３を軸として回動する。起上台連結部６１がレバー連結部８１と連結しているため、起上台８０もレバー６０と一体となって、立ち上がるように回動する。その結果、起上台８０と窓部５３との間の距離が変化する。
【００５３】
図１６は、起上台８０が回動した状態を示す。起上台８０に押されて、チャンネル出口３５から突出した処置具先端部４１が操作部側に屈曲する。図１６に示すように、起上台８０が立ち上がるように回動することを、以下の説明では「起上台８０が起上する」と表現する場合がある。起上した起上台８０に押されて処置具先端部４１が屈曲することを、以下の説明では「処置具４０が起上する」と表現する場合がある。起上操作レバー２１の操作により、処置具４０の起上の程度を調整することができる。
【００５４】
本実施の形態の内視鏡１０の使用方法の概要を説明する。内視鏡１０は、キャップ５０を外し、洗浄等を行った状態で保管されている。キャップ５０は、滅菌パックに入った状態で提供される。ユーザは、滅菌パックからキャップ５０を取り出し、内視鏡１０の先端部３１に取り付ける。
【００５５】
ユーザは、挿入部３０を検査対象者の口から挿入する。観察窓３６を介して撮影した映像を見ながら、ユーザは挿入部３０の先端を目的部位に誘導する。ユーザは、目的に応じた処置具４０等をチャンネル入口２２から挿入する。処置具先端部４１が挿入部３０の先端から突出し、目的部位の近傍に位置することを確認した後に、ユーザは起上操作レバー２１を操作して、処置具先端部４１を目的部位に誘導する。必要な処置等を行った後に、ユーザは処置具４０をチャンネル３４から抜去する。ユーザは内視鏡１０を検査対象者から抜去して、検査または処置を終了する。
【００５６】
カバー５２は、切欠部５４を利用して破断することにより、容易に取り外すことができる。本実施の形態のキャップ５０は、いわゆるシングルユースであり、一回使用した後に廃棄される。
【００５７】
ユーザは、キャップ５０を外した後の内視鏡１０に対して、次回の使用に備えて洗浄等の処理を行う。図６に示すように、キャップ５０を外した後の内視鏡１０には起上台８０が付いていない。起上台８０を固定する際に用いる起上台連結部６１は、図６に示すように、先端部３１に露出している。レバー室６９は、レバー室蓋６７およびＯリング６２により封止されているので、起上ワイヤ２４の経路には体液等が付着しない。
【００５８】
以上により、起上台８０および起上ワイヤ２４付近の複雑な構造を洗浄するための特別な洗浄作業等が不要であるので、症例間の処理時間が短く、効率良く運用することができる内視鏡１０を提供することができる。
【００５９】
本実施の形態の内視鏡１０は、起上台８０を備えており側視型であるので、十二指腸および膵胆管領域の診断および処置用に適している。特に、ＥＲＣＰ（Endoscopic Retrograde Cholangio Pancreatography）、ＥＳＴ（Endoscopic Sphincterotomy）、ＥＢＤ（Endoscopic Biliary Drainage）等の手技を実施する場合には、本実施の形態の内視鏡１０が適している。これらの手技では、十二指腸壁にある十二指腸乳頭部および十二指腸乳頭部に開口する膵管および総胆管等の内部に処置具４０を誘導して、処置等を行うためである。
【００６０】
本実施の形態によると、使用後にカバー５２を破断して挿入部３０から取り外すので、誤って再使用することを防止できるキャップ５０を提供することができる。本実施の形態によると、起上台８０およびキャップ５０を着脱可能な内視鏡１０を提供することができる。本実施の形態によると、起上台８０を備えない通常の内視鏡と同様の手順で洗浄等の処理を行うことが可能な、起上台８０を備える内視鏡１０を提供することができる。
【００６１】
なお、側視型の内視鏡１０を、側視内視鏡と呼ぶ場合がある。同様に、十二指腸および膵胆管領域の診断等に適した内視鏡１０を、十二指腸内視鏡と呼ぶ場合がある。
【００６２】
本実施の形態によると、台座７０とカバー５２とが別体であるので、それぞれの形状が単純である。そのため、たとえば射出成形等により安価に製造することが可能である。
【００６３】
回動部には、起上ワイヤ２４の代わりに伸縮可能なＳＭＡ（Shape memory alloy）アクチュエータを使用しても良い。このようにする場合には、ＳＭＡアクチュエータの一端をワイヤ固定部６５に、他端を先端部３１に固定する。ＳＭＡアクチュエータの周囲にヒータを配置する。ヒータは、起上操作レバー２１の動きに連動して作動するようにする。
【００６４】
ヒータが作動してＳＭＡアクチュエータが縮むことにより、レバー６０および起上台８０が回動する。回動部には、その他任意のリニア型のアクチュエータを使用することができる。
【００６５】
回動部には、小型モータ等の回動型のアクチュエータを使用しても良い。小型モータをレバー室６９に配置し、モータ軸とレバー軸６３とを連結することにより、レバー６０を回動させることが可能である。
【００６６】
回動部にアクチュエータを使用する場合には、たとえば音声制御等のユーザの手を使わない手段を用いて起上台８０を操作しても良い。
【００６７】
キャップ５０は、レバー連結部８１を開口端部５６の側に向けた状態で、起上台８０とカバー５２または台座７０とを粘着材等により仮固定した状態で提供されても良い。このようにすることにより、キャップ５０を挿入部３０に取り付ける前に起上台８０の向きを確認する手間を省き、簡便に使用できるキャップ５０を提供することができる。
【００６８】
仕様の異なる複数の種類のキャップ５０から、ユーザが手技に応じた仕様のキャップ５０を選択して使用するようにしても良い。たとえば、起上台８０の回動可能範囲を狭く制限するストッパを設けたキャップ５０が提供されても良い。回動可能範囲を狭くすることにより、たとえば超音波プローブまたは極細内視鏡等の高価で精密な機器を組み合わせて使用する場合に、過剰な屈曲による機器の破損を防止することができる。
【００６９】
窪み部８４が、処置具先端部４１の外径に沿う形状である場合には、起上時に処置具４０が左右にぶれにくく、操作しやすい傾向がある。窪み部８４の形状の異なる起上台８０を有する複数の種類のキャップ５０が提供されても良い。たとえば、細い処置具４０を保持しやすい形状の窪み部８４を備えるキャップ５０を使用することにより、ガイドワイヤ等の細い処置具４０を精密に操作しやすくなる。
【００７０】
このようにすることにより、用途に適したキャップ５０をユーザが選択して使用することが可能な内視鏡１０を提供することができる。
【００７１】
内視鏡１０は、先端に超音波振動子を備えるいわゆる超音波内視鏡でも良い。この場合には、キャップ５０は、底に超音波振動子を挿通する孔を有することが望ましい。内視鏡１０は、下部消化管向けの内視鏡でも良い。内視鏡１０は、硬性の挿入部３０を備えるいわゆる硬性鏡でも良い。内視鏡１０は、エンジンおよび配管等の検査等に使用する、いわゆる工業用内視鏡でも良い。
【００７２】
レバー連結部８１が突起状であり、起上台連結部６１がレバー連結部８１に対応する凹部であっても良い。
【００７３】
カバー５２は、切欠部５４を備えなくても良い。このようにする場合には、ユーザはカバー５２を引っ張って変形させることにより、キャップ５０を挿入部３０から取り外すことができる。ユーザは、メス等の道具を使用して、キャップ５０を挿入部３０から取り外しても良い。
【００７４】
キャップ５０は、再使用可能であっても良い。このようにする場合には、挿入部３０から取り外したキャップ５０をユーザが目視で点検し、破損していない場合には洗浄等の処理を行い再使用する。キャップ５０の開口端部５６は大きく開いているため、挿入部３０に取り付けられたままの状態に比べて容易に洗浄等の処理を行うことができる。キャップ５０は小型であるので、滅菌パックに入れて、たとえばオートクレーブ滅菌等を行うことも容易である。
【００７５】
レバー連結部８１が突起状であり、起上台連結部６１がレバー連結部８１に対応する凹部であっても良い。
【００７６】
［実施の形態２］
本実施の形態は、組立が容易なキャップ５０に関する。実施の形態１と共通する部分については、説明を省略する。
【００７７】
図１７は、実施の形態２のキャップ５０の分解斜視図である。図１８は、実施の形態２のキャップ５０の断面図である。図１９は、図１８のＸＩＸ−ＸＩＸ線による実施の形態２のキャップ５０の断面図である。図１７から図１９を使用して、本実施の形態のキャップ５０の構成を説明する。
【００７８】
キャップ５０は、カバー５２、台座７０および起上台８０を有する。台座７０は、第１壁７７、第２壁７８および第３壁７９を有する。第１壁７７は略長方形板である。第２壁７８は略長方形板であり、第１壁７７の長辺の縁から第１壁７７と略垂直に延びる。第３壁７９は略長方形板であり、第１壁７７の短辺の縁から第２壁７８と同じ向きに延びる。
【００７９】
第１壁７７には、第３壁７９から遠い側に、起上台取付孔７６を設けてある。起上台取付孔７６は、第１壁７７を貫通する丸孔である。第３壁７９には、第１壁７７と反対側の面に、第３固定突起７３を設けてある。第３固定突起７３は、割り溝を有する突起である。第３固定突起７３は、端部に一回り太い抜け止めを有する。
【００８０】
第２壁７８は、第１壁と反対側の面の長辺側の縁に、２本の台座縁突起７１を有する。台座縁突起７１は、第２壁７８の稜線に沿って突出する突起である。
【００８１】
カバー５２は、底に台座固定孔５７を有する。台座固定孔５７は、カバー５２の外面側の内径がカバー５２の内面側の外径に比べて大きい段付きの丸孔である。カバー５２は、内面に２本の第１固定突起５９を有する。第１固定突起５９は、互いに向かい合う方向に突出する２本の平行な突起である。２本の第１固定突起５９間の間隔は、２本の台座縁突起７１間の間隔と対応している。
【００８２】
キャップ５０の組立方法を説明する。まず、起上台８０を台座７０に回動可能に取り付ける。具体的には、起上台取付孔７６に起上台軸８２を挿入する。次に、台座７０をカバー５２の内面に固定する。具体的には、開口端部５６側から２本の第１固定突起５９の間を滑らせるようにして、台座７０をカバー５２の内面に挿入する。図１７に示すように、起上台軸８２を起上台取付孔７６に挿入する際の方向と、台座７０をカバー５２に挿入する方向とは交差している。
【００８３】
図１９に示すように、台座縁突起７１と第１固定突起５９とが係合して、台座７０をカバー５２の内面に固定する。すなわち、２本の第１固定突起５９はいわゆる蟻溝を形成しており、台座７０は蟻溝に入るいわゆる蟻になっている。
【００８４】
台座７０を、カバー５２の底に押し付ける。第３固定突起７３が、台座固定孔５７に入り込む。第３固定突起７３の先端側の太径部と、台座固定孔５７の段差部とが係合し、一旦挿入された第３固定突起７３が台座固定孔４７から外れることを防止する。以上の工程により、キャップ５０が完成する。
【００８５】
本実施の形態によると、カバー５２、台座７０および起上台８０の３個の部品を順番にはめ込むことにより簡単に組み立てることが可能なキャップ５０を提供することが可能である。
【００８６】
本実施の形態のキャップ５０は、再使用可能であっても良い。再使用する場合には、使用後にユーザがカバー５２から台座７０および起上台８０を外し、洗浄等を行ったのちに組み立てて再使用することが望ましい。
【００８７】
具体的には、治具等を用いて割り溝を閉じる向きに第3固定突起７３を摘みながらカバー５２の内側に向けて押すことにより、カバー５２と台座７０とを外す。さらに、治具等を用いて割り溝を閉じる向きに起上台軸８２を摘みながら押すことにより、台座７０と起上台８０とを外す。
【００８８】
以上の手順により、キャップ５０を３個の部品に分解することにより、洗浄等の処理を容易に行うことができる。再使用する前に、前述の工程によりキャップ５０を組み立てる。以上により、起上台８０付近を容易に洗浄して再使用することが可能なキャップ５０を提供することができる。
【００８９】
カバー５２のみをシングルユースにし、台座７０および起上台８０を再使用しても良い。このようにする場合には、カバー５２に破断が容易な切欠部５４を設けることが望ましい。以上により、使用後に取り外しやすく、台座７０および起上台８０を再使用可能なキャップ５０を提供することができる。
【００９０】
台座７０をカバー５２に挿入する際に、２本の第１固定突起５９の間または２本の台座縁突起７１の間に接着剤を塗布しておいても良い。このようにすることにより、強固に台座７０とカバー５２とを固定することが可能である。
【００９１】
接着剤を使用する場合には、第１固定突起５９および台座縁突起７１はそれぞれ１本ずつでも良い。この場合には、第１固定突起５９および台座縁突起７１は台座７０とカバー５２との間の位置合わせ用の突き当て部の機能を果たす。
【００９２】
［実施の形態３］
本実施の形態は、起上台取付孔７６を２つの部品で形成したキャップ５０に関する。実施の形態２と共通する部分については、説明を省略する。
【００９３】
図２０は、実施の形態３のキャップ５０の分解斜視図である。図２１は、実施の形態３の台座７０と起上台８０とを組み合わせた側面図である。図２２は、実施の形態３のカバー５２と台座７０を組み合わせる途中の状態を示す説明図である。図２３は、実施の形態３のキャップ５０の断面図である。図２４は、図２３のＸＸＩＶ−ＸＸＩＶ線による実施の形態３のキャップ５０の断面図である。図２０から図２４を使用して、本実施の形態のキャップ５０の構成を説明する。
【００９４】
キャップ５０は、カバー５２、台座７０および起上台８０を有する。カバー５２は、内面に窓部５３に向けて突出し、その先端側がさらに開口端部５６側に突出する略L字板状の第２固定突起５８を有する。第２固定突起５８は、窓部５３側の角に約１／４周の円筒面の起上台受部５８１を有する。
【００９５】
台座７０は、環状の第１壁７７および長方形板状の第３壁７９がL字形に連続した形状である。第１壁７７には、第３壁７９から遠い側の内面に第１起上台取付部７６１を設けてある。第１起上台取付部７６１は、第１壁７７の中央部の孔に連続する約３／４周の円筒面である。さらに第１壁７７には、第３固定突起７３側に突出する板状の第４固定突起７４を設けてある。
【００９６】
第３壁７９には、第１壁７７と反対側の面に、第３固定突起７３を設けてある。第３固定突起７３は、割り溝を有する突起である。第３固定突起７３は、端部に一回り太い抜け止めを有する。
【００９７】
キャップ５０の組立方法を説明する。まず、起上台８０と台座７０とを組み合わせる。具体的には、第１壁７７の中央部の孔に起上台軸８２を挿入し、第１起上台取付部７６１の内面に当て付ける。図２１に、起上台８０と台座７０とを組み合わせた状態を示す。第１起上台取付部７６１の内面に、起上台軸８２が仮止めされている。
【００９８】
次に、台座７０をカバー５２の内面に固定する。具体的には、図２２に示すように開口端部５６側から台座７０および起上台８０をカバー５２の内面に挿入する。
【００９９】
台座７０を、カバー５２の底に押し付ける。第３固定突起７３が、台座固定孔５７に係合する。この際、図２３に示すように第２固定突起５８と第４固定突起７４とが係合する。第１起上台取付部７６１と起上台受部５８１とが合わさって、起上台軸８２を囲む円筒面の起上台取付孔７６を形成する。起上台取付孔７６は、起上台軸８２を回動可能に支持する。以上の工程により、キャップ５０が完成する。
【０１００】
図２０に示すように、起上台軸８２を第１壁７７の孔に挿入する際の方向と、台座７０をカバー５２に挿入する方向とは交差している。
【０１０１】
本実施の形態によると、起上台軸８２と台座７０との組み付けが簡単なキャップ５０を提供することが可能である。さらに、台座７０が板状の第４固定突起７４でカバー５２の内面に固定されているため、台座７０および起上台８０を窓部５３方向に引く力が加わった場合でも、台座７０がカバーから外れにくいキャップ５０を提供することが可能である。
【０１０２】
［実施の形態４］
本実施の形態は、カバー５２の底部に台座７０を固定する固定突起を有するキャップ５０に関する。実施の形態３と共通する部分については、説明を省略する。
【０１０３】
図２５は、実施の形態４のキャップ５０の分解斜視図である。図２６は、実施の形態４のキャップ５０の断面図である。図２５および図２６を使用して、本実施の形態のキャップの構成を説明する。
【０１０４】
キャップ５０は、カバー５２、台座７０および起上台８０を有する。カバー５２は、底に開口端部に向けて突出する第５固定突起５１を有する。第５固定突起５１は、端部に一回り太い抜け止めを有する。台座７０は、第３壁７９を貫通するカバー固定孔７５を有する。
【０１０５】
台座７０を、カバー５２の底に押し付けることにより、第５固定突起５１がカバー固定孔７５に係合する。
【０１０６】
本実施の形態によると、底部、すなわち内視鏡１０に取り付けた際に挿入部の先端にあたる部分が平滑なキャップ５０を提供することができる。
【０１０７】
［実施の形態５］
本実施の形態は、キャップ５０を先端部３１に取り付ける際に、クリック感を得られる内視鏡１０に関する。実施の形態１と共通する部分については、説明を省略する。
【０１０８】
図２７は、実施の形態５のレバー６０と起上台８０とを連結する部分の断面図である。レバー６０から突出する起上台連結部６１の外周に、三角溝状の側面凹部９１が設けられている。起上台８０に設けられた凹状のレバー連結部８１の内周に側面凹部９１に対応する形状の内面凸部９２が設けられている。レバー６０と起上台８０とを連結した状態では、図２７に示すように内面凸部９２は側面凹部９１内に入り込んでいる。
【０１０９】
キャップ５０を先端部３１に取り付ける際、起上台連結部６１は内面凸部９２を押し広げながらレバー連結部８１の中に入る。内面凸部９２が側面凹部９１の中に入る際に、キャップ５０を取り付ける作業中のユーザはクリック感を感知することができる。そのため、キャップ５０が所定の位置まで押し込まれたことを認識することができる。
【０１１０】
本実施の形態によると、キャップ５０を先端部３１の所定の位置まで押し込んだ際に、クリック感を生じる内視鏡１０を提供することができる。
【０１１１】
起上台連結部６１の外周に凸部を、レバー連結部８１の内周に凹部を設けても良い。
【０１１２】
［実施の形態６］
本実施の形態は、台座７０とカバー５２とを一体に形成したキャップ５０に関する。実施の形態１と共通する部分については、説明を省略する。
【０１１３】
図２８は、実施の形態６の挿入部３０の断面図である。図２８は、図１０に示すＸＩ−ＸＩ線と同様の位置で切断した断面を示す。本実施の形態においては、台座７０は、カバー５２の内面に一体に形成されている。
【０１１４】
たとえば、３Ｄプリンタを使用することにより、この種のカバー５２を製作することが可能である。複数の材料を印刷することが可能な３Ｄプリンタを使用することにより、台座７０およびカバー５２と、台座７０に対して回動可能な起上台８０とを同時に製作することも可能である。
【０１１５】
本実施の形態によると、使用する部品の数が少ないキャップ５０を提供することができる。
【０１１６】
［実施の形態７］
【０１１７】
本実施の形態は、突起状のレバー連結部８１と、凹部状の起上台連結部６１とを備える内視鏡１０に関する。実施の形態１と共通する部分については、説明を省略する。
【０１１８】
図２９は、実施の形態７のキャップ５０取付前の挿入部３０の先端の斜視図である。図３０は、実施の形態７の挿入部３０の断面図である。図３１は、実施の形態７のレバー６０の斜視図である。図３２は、実施の形態７のキャップ５０の斜視図である。図２９から図３２を使用して、本実施の形態の内視鏡１０の構造を説明する。
【０１１９】
図２９および図３１に示すように、本実施の形態の起上台連結部６１は、レバー軸６３の側面に設けられた丸孔である。起上台連結部６１は、角孔、楕円形孔等、任意の形状の孔を使用することができる。起上台連結部６１は、レバー軸６３を貫通しても、貫通しなくても良い。以後の説明では、図３０に示すような窪み状の起上台連結部６１を連結凹部と記載する場合がある。
【０１２０】
図３２に示すように、本実施の形態のレバー連結部８１は、起上台軸８２と同軸の円筒面の内面に、起上台軸８２と交差する向きに設けられた円柱状の突起である。以後の説明では、図３１に示すような突起状のレバー連結部８１を起上突起と記載する場合がある。レバー連結部８１は、レバー６０に設けられた起上台連結部６１に挿入可能な形状である。
【０１２１】
図３０は、レバー軸６３の中心軸および起上台軸８２の中心軸を通り、挿入部３０の長手方向に沿った断面である。レバー連結部８１が、起上台連結部６１に挿入されている。
【０１２２】
本実施の形態によると、挿入部３０の先端に起上台連結部６１の孔があるだけであるため、使用後の洗浄が容易である。なお、起上台連結部６１の内部は、起上台連結部６１の寸法に対応したブラシを用いて洗浄する。
【０１２３】
［実施の形態８］
【０１２４】
本実施の形態は、レバー軸６３が起上突起を兼ねる内視鏡１０に関する。実施の形態１と共通する部分については、説明を省略する。
【０１２５】
図３３は、実施の形態８のレバー６０の斜視図である。図３４は、実施の形態８のキャップ５０の斜視図である。図３３および図３４を使用して本実施の形態の内視鏡１０の構成を説明する。
【０１２６】
図３３に示すように、本実施の形態のレバー軸６３は、中心軸に平行な方向に２箇所切欠かれており、平行な平面状の２つの起上台連結部６１を備える。図３４に示すように、本実施の形態のレバー連結部８１は、起上台軸８２と同軸の円柱面の側面に、起上台軸８２と交差する向きに設けられた略Ｕ字形の窪みである。
【０１２７】
キャップ５０を挿入部３０の先端側から押し込むことにより、起上台連結部６１がレバー連結部８１に入る。これにより、レバー６０と起上台８０とが連結し、一体になって回動可能になる。すなわち、本実施の形態においては、レバー軸６３が起上突起を兼ねる。
【０１２８】
本実施の形態によると、挿入部３０の先端に突起も孔も設けられていないため、使用後の洗浄が容易である。
【０１２９】
起上台連結部６１は、１面のみでも良い。２つの起上台連結部６１は、平行でなくても良い。
【０１３０】
［実施の形態９］
本実施の形態は、レバー６０と起上台８０とを連結する部材を着脱可能にした内視鏡１０に関する。実施の形態１と共通する部分については、説明を省略する。
【０１３１】
図３５は、実施の形態９のキャップ５０の斜視図である。本実施の形態のキャップ５０は、図４を使用して説明した実施の形態１と同様に、窪み状のレバー連結部８１を有する。本実施の形態の内視鏡１０は、図２９および図３０を使用して説明した実施の形態６と同様に、挿入部３０の先端に窪み状の起上台連結部６１を有する。本実施の形態の内視鏡１０は、丸棒状の連結具８９を備える。
【０１３２】
レバー連結部８１または起上台連結部６１に連結具８９を挿入した後に、挿入部３０にキャップ５０を押し込んで固定する。起上台連結部６１およびレバー連結部８１に連結具８９が入る。これにより、レバー６０と起上台８０とが一体になって回動可能になる。
【０１３３】
本実施の形態によると、挿入部３０の先端に起上台連結部６１の孔があるだけであるため、使用後の洗浄が容易である。また、連結具８９は単純な形状であるため、容易に洗浄して再使用することができる。そのため、キャップ５０をシングルユースとする場合にも、廃棄する部材が少ない内視鏡１０を提供することができる。
【０１３４】
レバー連結部８１は、角柱または楕円柱等でも良い。レバー６０、起上台８０および連結具８９に磁性体を使用することにより、取付時の脱落を防止し、キャップ５０を容易に取付可能な内視鏡１０を提供することができる。
【０１３５】
［実施の形態１０］
本実施の形態は、キャップ５０を先端部３１に取り付ける際に、クリック感を得られる内視鏡１０に関する。実施の形態１と共通する部分については、説明を省略する。
【０１３６】
図３６は、実施の形態１０のレバー６０と起上台８０とを連結する部分の断面図である。レバー６０から突出する起上台連結部６１の外周に、三角溝状の側面凹部９１が設けられている。起上台８０に設けられた凹状のレバー連結部８１の内周に側面凹部９１に対応する形状の内面凸部９２が設けられている。レバー６０と起上台８０とを連結した状態では、図３６に示すように内面凸部９２は側面凹部９１内に入り込んでいる。
【０１３７】
キャップ５０を先端部３１に取り付ける際、起上台連結部６１は内面凸部９２を押し広げながらレバー連結部８１の中に入る。内面凸部９２が側面凹部９１の中に入る際に、キャップ５０を取り付ける作業中のユーザはクリック感を感知することができる。そのため、キャップ５０が所定の位置まで押し込まれたことを認識することができる。
【０１３８】
本実施の形態によると、キャップ５０を先端部３１の所定の位置まで押し込んだ際に、クリック感を生じる内視鏡１０を提供することができる。
【０１３９】
［実施の形態１１］
本実施の形態は、キャップ５０を先端部３１に取り付ける際に、クリック感を得られる内視鏡１０に関する。実施の形態７と共通する部分については、説明を省略する。
【０１４０】
図３７は、実施の形態１１のレバー６０と起上台８０とを連結する部分の断面図である。起上台８０から突出するレバー連結部８１の外周に、三角溝状の側面凹部９１が設けられている。レバー６０に設けられた凹状の起上台連結部６１の内周に側面凹部９１に対応する形状の内面凸部９２が設けられている。レバー６０と起上台８０とを連結した状態では、図３７に示すように内面凸部９２は側面凹部９１内に入り込んでいる。
【０１４１】
キャップ５０を先端部３１に取り付ける際、レバー連結部８１は内面凸部９２を押し広げながら起上台連結部６１の中に入る。内面凸部９２が側面凹部９１の中に入る際に、キャップ５０を取り付ける作業中のユーザはクリック感を感知することができる。そのため、キャップ５０が所定の位置まで押し込まれたことを認識することができる。
【０１４２】
本実施の形態によると、キャップ５０を先端部３１の所定の位置まで押し込んだ際に、クリック感を生じる内視鏡１０を提供することができる。
【０１４３】
各実施例で記載されている技術的特徴（構成要件）はお互いに組合せ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、請求の範囲によって示され、請求の範囲と均等の意味および範囲内でのすべての変更が含まれることが意図される。
【０１４４】
以上の実施の形態１から１１を含む実施形態に関し、さらに以下の付記を開示する。
【０１４５】
（付記１）
内視鏡の挿入部の先端に回動可能に設けられたレバーと、該レバーを回動させる回動部とを備える内視鏡に着脱可能な内視鏡用キャップにおいて、
開口端部を有する有底筒型のカバーと、
前記カバーの内側に回動可能に支持されており、前記内視鏡への前記カバーの装着時に前記レバーに連結され、該レバーの回動に応じて回動する起上台と
を備える内視鏡用キャップ。
【０１４６】
（付記２）
前記カバーは、側面に窓部を有し、
前記起上台は、前記カバーに回動可能に支持された起上台軸および前記開口端部側に設けられており、前記レバーに連結可能なレバー連結部を備える
付記１に記載の内視鏡用キャップ。
【０１４７】
（付記３）
前記起上台は、前記窓部との間の距離が変化する方向に回動可能である付記２に記載の内視鏡用キャップ。
【０１４８】
（付記４）
前記カバーは、前記窓部に連続する切欠部を有する付記２または付記３に記載の内視鏡用キャップ。
【０１４９】
（付記５）
前記カバーの内側に固定された台座を有し、
前記起上台軸は、前記台座を介して前記カバーの内側に回動可能に支持されている付記２から付記４のいずれか一つに記載の内視鏡用キャップ。
【０１５０】
（付記６）
挿入部の先端の一部から挿入方向に突出し、挿入方向に沿った支持壁を備える中空のレバー室と、
前記支持壁を貫通するレバー軸および前記レバー室の外側に設けられて表面に露出する起上台連結部を有し、前記レバー軸周りに回動可能なレバーと、
を備える内視鏡。
【０１５１】
（付記７）
開口端部を有する有底筒型のカバーと、前記カバーの内側に回動可能に支持されており、前記内視鏡への前記カバーの装着時に前記起上台連結部と連結され、該レバーの回動に応じて回動する起上台とを含む内視鏡用キャップを備える付記６に記載の内視鏡。
【０１５２】
（付記８）
台座に、起上台軸を有する起上台の前記起上台軸を挿入し、
開口端部を有する有底筒型のカバーに、前記開口端部側から、前記台座を前記起上台と共に挿入し、
前記カバーと前記台座とを固定する
内視鏡用キャップの製造方法。
【０１５３】
（付記９）
内視鏡の挿入部の先端に回動可能に設けられたレバーと、該レバーを回動させる回動部とを備える内視鏡を用意し、
開口端部を有する有底筒型のカバーと、前記カバーの内側に回動可能に支持されており、前記内視鏡への前記カバーの装着時に前記レバーに連結され、該レバーの回動に応じて回動する起上台とを有する内視鏡用キャップを前記内視鏡に取り付ける
内視鏡用キャップの使用方法。
【０１５４】
（付記１０）
前記カバーに設けられた切欠部を通じて、該カバーを破断し、
破断後に前記内視鏡用キャップを前記内視鏡から取り外す
付記９に記載の内視鏡用キャップの使用方法。
【符号の説明】
【０１５５】
１０  内視鏡
１２  軟性部
１３  湾曲部
２０  操作部
２１  起上操作レバー
２２  チャンネル入口
２３  湾曲ノブ
２４  起上ワイヤ（回動部）
３０  挿入部
３１  先端部
３２１  第１平面部
３２２  第２平面部
３３  光学収容部
３４  チャンネル
３５  チャンネル出口
３６  観察窓
３７  照明窓
３７１  ライトガイドファイバ
３８  ノズル
３９  キャップ固定溝
４０  処置具
４１  処置具先端部
４９  突出部
５０  キャップ（内視鏡用キャップ）
５１  第５固定突起
５２  カバー
５３  窓部
５４  切欠部
５５  取付突起
５６  開口端部
５７  台座固定孔
５８  第２固定突起
５８１  起上台受部
５９  第１固定突起
６０  レバー
６１  起上台連結部（起上突起、連結凹部）
６２  Ｏリング
６３  レバー軸
６４  回動連結部
６５  ワイヤ固定部
６７  レバー室蓋
６８  支持壁
６９  レバー室
７０  台座
７１  台座縁突起
７３  第３固定突起
７４  第４固定突起
７５  カバー固定孔
７６  起上台取付孔
７６１  第１起上台取付部
７７  第１壁
７８  第２壁
８０  起上台
８１  レバー連結部（連結凹部、起上突起）
８２  起上台軸
８３  起上部
８４  窪み部
８９  連結具
９１  側面凹部
９２  内面凸部
【図１】
2018016484.tif 000003
【図２】
2018016484.tif 000004
【図３】
2018016484.tif 000005
【図４】
2018016484.tif 000006
【図５】
2018016484.tif 000007
【図６】
2018016484.tif 000008
【図７】
2018016484.tif 000009
【図８】
2018016484.tif 000010
【図９】
2018016484.tif 000011
【図１０】
2018016484.tif 000012
【図１１】
2018016484.tif 000013
【図１２】
2018016484.tif 000014
【図１３】
2018016484.tif 000015
【図１４】
2018016484.tif 000016
【図１５】
2018016484.tif 000017
【図１６】
2018016484.tif 000018
【図１７】
2018016484.tif 000019
【図１８】
2018016484.tif 000020
【図１９】
2018016484.tif 000021
【図２０】
2018016484.tif 000022
【図２１】
2018016484.tif 000023
【図２２】
2018016484.tif 000024
【図２３】
2018016484.tif 000025
【図２４】
2018016484.tif 000026
【図２５】
2018016484.tif 000027
【図２６】
2018016484.tif 000028
【図２７】
2018016484.tif 000029
【図２８】
2018016484.tif 000030
【図２９】
2018016484.tif 000031
【図３０】
2018016484.tif 000032
【図３１】
2018016484.tif 000033
【図３２】
2018016484.tif 000034
【図３３】
2018016484.tif 000035
【図３４】
2018016484.tif 000036
【図３５】
2018016484.tif 000037
【図３６】
2018016484.tif 000038
【図３７】
2018016484.tif 000039
【国際調査報告】
2018016484.tif 000040
2018016484.tif 000041
2018016484.tif 000042